(57)【要約】ネットワーク専用ダイヤルコードのモバイルノード（１２）への配信を容易にする装置（５８）およびそれに関連した方法である。ネットワーク専用ダイヤルコードのブロードキャストは、セルブロードキャストセンター（３８）において具体化されたブロードキャストスケジューラ（６４）によって予定を立てられる。コードを含む信号はブロードキャストされ、モバイルノード（１２）によって検出され、それによって、値をモバイルノードへダウンロードする。また、ダウンロードされたダイヤルコードは、モバイルノード（１２）が、対応するサービスセンター（４４）を呼び出すために普通に使用するダイヤルコードとともにインデックスを付けられる（８８）。その後で、コールがサービスセンターへ設定されるとき、ダイヤルコードは、必要に応じて、指定されたサービスセンター（４４）へのコールが完了することを可能にするために置き換えられる（９４）。
2006514458.tif 000002
【特許請求の範囲】
【請求項１】
通信ネットワークのネットワーク部と通信するように動作可能であるモバイルノードを有し、前記モバイルノードから出たコールが前記ネットワーク部を経由して経路制御され到達し得る少なくとも第１のサービスセンターを有する無線通信システムにおいて、前記少なくとも第１のサービスセンターのうちの選択されたサービスセンターへのコールの設定を容易にする装置の改良であって、該装置は、
前記少なくとも第１のサービスセンターのうちの少なくとも前記選択されたサービスセンターを特定するネットワーク部識別コードを受信するため適合し、受信された各ネットワーク部識別コードの値を検出するネットワーク配置型コード配信検出器と、
前記ネットワーク配置型コード配信検出器に接続され、そこで検出された前記値の表示を受信し、前記ネットワーク部によって網羅された地域の少なくとも一部分の全体に亘って、前記値の少なくとも選択されたブロードキャストの予定を立てる識別コードブロードキャストスケジューラと、
を備える装置。
【請求項２】
前記ネットワーク配置型コード配信検出器が前記選択されたサービスセンターへのコールを経路制御することができる前記ネットワーク部で具体化される、請求項１に記載の装置。
【請求項３】
前記識別コードブロードキャストスケジューラが前記選択されたサービスセンターへのコールを経路制御することができる前記ネットワーク部でさらに具体化される、請求項２に記載の装置。
【請求項４】
前記無線通信システムがセルブロードキャストセンターを規定する動作仕様に準拠して動作し、前記ネットワーク配置型コード配信検出器および前記識別コードブロードキャストスケジューラが前記セルブロードキャストセンターで具体化される、請求項３に記載の装置。
【請求項５】
前記無線通信システムが準拠して動作する前記動作仕様がＧＳＭ／３ＰＰ（グローバル移動体通信システム／第３世代パートナーシッププロジェクト）動作仕様を含み、前記ネットワーク配置型コード配信検出器および前記識別コードブロードキャストセンターが具体化された前記セルブロードキャストセンターがＧＳＭ／３ＰＰ準拠型セルブロードキャストセンターを含む、請求項４に記載の装置。
【請求項６】
請求項１に記載の前記無線通信システムにおいて、前記選択されたサービスセンターへの前記コールの設定を容易にする通信ネットワーク装置のさらなる改良であって、該通信ネットワーク装置は、
少なくとも前記選択されたサービスセンターを特定する前記ネットワーク部識別コードを取り出し、その値を前記ネットワーク配置型コード配信検出器へ供給するコンピュータネットワーク配置型リトリーバを備える、装置。
【請求項７】
少なくとも前記選択されたサービスセンターを特定する前記ネットワーク部識別コードの前記値が格納されるデータベース要素をさらに備え、
前記リトリーバが前記データベース要素に格納された前記値にアクセスすることにより前記ネットワーク部識別コードを取り出す、請求項６に記載の装置。
【請求項８】
ニーモニックが前記ネットワーク部識別コードにさらに関連付けられ、前記ニーモニックを表す値が前記データベース要素に格納される、請求項７に記載の装置。
【請求項９】
前記ネットワーク部が少なくとも第１の基地トランシーバー局および基地局コントローラをさらに備え、
前記識別コードブロードキャストスケジューラがそこで予定を立てられたスケジューリングの標示を前記基地局コントローラへ供給し、前記ネットワーク部によって網羅された前記地域の前記少なくとも一部分の全体に亘って前記値の前記少なくとも選択されたブロードキャストを実施させる、請求項１に記載の装置。
【請求項１０】
前記識別コードブロードキャストスケジューラによって予定を立てられる前記少なくとも選択されたブロードキャストが選択された間隔でブロードキャストのための予定を立てられる、請求項９に記載の装置。
【請求項１１】
前記無線通信システムがセルブロードキャストチャネルを規定する動作仕様に準拠して動作し、前記スケジューラによって予定を立てられた前記少なくとも選択されたブロードキャストが前記セルブロードキャストチャネルでブロードキャストさせられる、請求項９に記載の装置。
【請求項１２】
請求項９に記載の前記無線通信システムにおいて、前記選択されたサービスセンターへの前記コールの設定を容易にするモバイルノード装置のさらなる改良であって、該モバイルノード装置は、
前記識別コードブロードキャストスケジューラによって予定を立てられた前記スケジューリングに応じてブロードキャストさせられた前記少なくとも選択されたブロードキャストを検出するモバイルノード配置型コードブロードキャスト検出器を備える、装置。
【請求項１３】
前記モバイルノードで具体化され、前記モバイルノード配置型セルブロードキャスト検出器に接続され、前記モバイルノード配置型コードブロードキャスト検出器によって検出された前記ネットワーク部識別コードの値に、少なくとも第１のモバイルノード識別コードと一体的に、インデックスを付けるインデクサをさらに備える、請求項１２に記載の装置。
【請求項１４】
前記モバイルノードが前記モバイルノードのユーザによって作動可能であるユーザ入力アクチュエータをさらに備え、
前記ユーザアクチュエータおよび前記インデクサに接続され、モバイルノード識別子の値による前記ユーザ入力アクチュエータの作動に応じて動作可能であり、前記値を対応するネットワーク部識別コードの値に置き換えるトランスポーザをさらに備える、請求項１３に記載の装置。
【請求項１５】
通信ネットワークのネットワーク部と通信するように動作可能であるモバイルノードを有し、前記モバイルノードから出たコールが前記ネットワーク部を経由して経路制御され到達し得る少なくとも第１のサービスセンターを有する無線通信システムで通信する方法において、前記少なくとも第１のサービスセンターのうちの選択されたサービスセンターへのコールの設定を容易にする方法の改良であって、該方法は、
前記ネットワーク部で、前記少なくとも第１の選択されたサービスセンターのうちの少なくとも前記選択されたサービスセンターを特定する少なくとも第１のネットワーク部識別コードの値を保持することと、
前記ネットワーク部によって網羅された地域の少なくとも一部分の全体に亘って、前記保持する動作中に保持された前記値の少なくとも選択されたブロードキャストの予定を立てることと、
を含む方法。
【請求項１６】
前記予定を立てる動作中に予定を立てられた前記少なくとも選択されたブロードキャストをブロードキャストする動作をさらに含む、請求項１５に記載の方法。
【請求項１７】
前記モバイルノードで、前記ブロードキャストする動作中にブロードキャストされた前記値を検出する動作をさらに含む、請求項１６に記載の方法。
【請求項１８】
前記モバイルノードで前記少なくとも第１のサービスセンターを特定する少なくとも第１のモバイルノード識別コードに、前記検出する動作中に検出された値である対応する少なくとも第１のネットワーク部識別コードと一体的に、前記モバイルノードで、インデックスを付ける動作をさらに含む、請求項１７に記載の方法。
【請求項１９】
前記モバイルノードで、前記少なくとも第１のモバイルノード識別コードの選択されたモバイルノード識別コードの値を入力する動作と、
前記値をそれらと一体的にインデックスを付けられた対応するネットワーク部識別コードに置き換える動作と、
をさらに含む請求項１８に記載の方法。
【請求項２０】
通信ネットワークのネットワーク部と通信するように動作可能であるモバイルノードを有し、前記モバイルノードから出たコールが前記ネットワーク部を経由して経路制御され到達し得る少なくとも第１のサービスセンターを有する無線通信システムにおいて、前記少なくとも第１のサービスセンターのうちの選択されたサービスセンターへのコールの設定を容易にする装置の改良であって、該装置は、
前記少なくとも第１のサービスセンターを特定する少なくとも第１のネットワーク部識別コードの前記モバイルノードへのブロードキャストの値を検出するモバイルノード配置型コードブロードキャスト検出器と、
前記モバイルノード配置型コードブロードキャスト検出器に接続され、前記モバイルノード配置型コードブロードキャスト検出器によって検出された前記ネットワーク部識別コードの値に、少なくとも第１のモバイルノード識別コードの値と一体的に、インデックスを付けるインデクサと、
を備える、装置。
【発明の詳細な説明】
【技術分野】
【０００１】
本発明は、概して、モバイルノードのユーザによる９−９−１または９−９−９ダイヤルコードのような短縮ダイヤルコードによってユーザが識別可能である緊急派遣センターまたは電話番号案内センターのようなサービスセンターへのコール設定を容易にするための方法に関する。より詳細には、本発明は、モバイルノードが登録されているネットワークにおいて使用される短縮コードをモバイルノードへブロードキャストし、もしくは、配信する装置およびそれに関連した方法に関する。一旦モバイルノードへ配信されると、配信された短縮ダイヤルコードは、サービスセンターを識別するためにユーザによって一般に使用される短縮ダイヤルコードと関連付けられる。
【０００２】
ユーザは、コールが設定される場所がどこであるかとは無関係に、ユーザがサービスセンターに関連付ける短縮ダイヤルコードを入力することによって、サービスセンターと連絡を取ることが可能である。ユーザによって入力された短縮ダイヤルコードと、コールが設定された地理上の領域内において使用される短縮ダイヤルコードとが異なる場合、入力されたダイヤルコードは置き換えられ、コールは適切な短縮ダイヤルコードを使用して設定される。モバイルノードのユーザは、種々の地理上の領域の至る所で使用される短縮ダイヤルコードを知る必要がない。
【背景技術】
【０００３】
空間的に離れた場所間におけるデータの通信は、現代社会の欠くことのできない局面である。データの通信は多種多様な機能およびサービスを実施するため要求される。さらに、多種多様なタイプの通信システムが配備され、このような機能およびサービスを実施するために用いることができる。
【０００４】
通信システムは、通信チャネルを介して相互接続された第１の通信局および第２の通信局を少なくとも含む。通信局はデータが通信される場所に置かれる。さらに、一方の通信局によって他方へ通信されるデータは、通信チャネルを介してそこへ送信される。一部の通信システムは、多数のユーザがそれを通じて通信することが可能なマルチユーザ通信システムである。多数のユーザは、多種多様なタイプのマルチユーザ通信システムをもちいることによって様々なタイプの通信サービスを実施することが可能である。技術進歩が可能にするのに伴って、新しいタイプのマルチユーザ通信システムおよび別の通信システムが展開され配備されている。新しいタイプの通信システムの一部は、既存の通信サービスのより効率的な実施を可能にする。さらなる技術進歩によって、このような技術進歩が導入される新しいタイプの通信システムが、対応して同様に利用可能になる。
【０００５】
デジタル通信技術、および、このような技術を実施するため使用される回路における進歩は、特に、例えば、多数の新しい通信システムに導入されている技術進歩である。デジタル通信システム技術を用いることは、複数の効果を奏する。例えば、通信効率の改良がデジタル通信技術の使用の結果として見込まれる。デジタル通信技術が利用されると、通信されるデータはデジタル化されるか、もしくはデジタル形式に変換される。アナログ形式のデータによって典型的に示される通信の重複は、デジタル化後にデータから取り除かれる。
【０００６】
通信の重複を除去することにより、重複データを通信する必要がない。さらに、その結果として、デジタル通信システムの通信能力は、対応するアナログ通信システムよりも実質的に増大され得る。
【０００７】
無線通信システムは、例示的なタイプの通信システムである。無線通信システムでは、通信局を相互接続する通信チャネルは、少なくとも部分的に、無線リンクに形成される。すなわち、無線通信システムの通信局間の通信路は、無線リンクに定められた部分を含む。通信局間において通信されるデータは、無線リンクに定められた、無線チャネルと呼ばれる通信チャネルにおいて通信される。
【０００８】
様々な利点が無線通信システムの使用によって得られる。無線通信システムは、例えば、一般的に有線の対応部よりも経済的に配備される。無線通信システムのネットワークインフラストラクチャの設置に伴う配備コストは、一般的に、対応する有線の対応部のネットワークインフラストラクチャの設置に伴う配備コストよりも安価である。従って、配備コストの最小化に関連した理由のために、無線通信システムは、対応する有線の対応部よりも好ましい場合がある。同様に、無線通信システムは移動通信システムとして実現可能である。移動通信システムは通信の移動性を提供する。また、それによって、移動通信システムにおける通信は、従来の有線通信システムを利用する通信が非現実的である場所から、および、その場所間で可能になる。すなわち、移動している通信局との通信は、移動通信システムにおいて同様に実行できる場合がある。
【０００９】
セルラー方式通信システムは、音声およびデータ通信サービスを提供する無線通信システムの方式である。セルラー方式通信システムでは、かなりの数のユーザによる複数のアクセスが許される。セルラー方式通信システムは広く普及し、様々な地域において深く浸透している。セルラー方式通信システムのネットワークインフラストラクチャは、世界中の人口の多い地域のかなりの地理上の領域に配備されている。また、一連の世代の携帯通信システムが、場合によっては共通の地理上の領域に重複して配備されている。既存システムを補完し、最終的に取って代わることを目的とした後継世代は配備中であり、または、開発中である。
【００１０】
商業的に配備された最初の携帯電話システムでは、一般に従来のアナログ通信技術を利用し、周波数分割、多元接続通信スキームを使用する。これらのシステムは、第１世代（１Ｇ）セルラー方式通信システムと呼ばれることがある。また、第１世代システムは一般に、回路切替式音声通信を提供する。
【００１１】
第１世代システムの配備の後に続いて導入され、デジタル通信技術を最初に利用したシステムは第２世代（２Ｇ）セルラー方式通信システムと呼ばれる。これらのシステムは、一般にある種のデータサービスを提供する。また、２．５Ｇ（第２．５世代）および３Ｇ（第３世代）システムが現在配備中である。これらのシステムは、一般に、より広域のデータサービスを提供する。すなわち、これらのシステムは、一般に、多重データレートで実施可能なサービス、および、より高いデータレートにおける通信サービスを提供する。また、後継世代システムが開発されている。これらのシステムは、配備されたときにおいて、さらに広域のデータサービスの機会を提供する可能性がある。
【００１２】
ＧＳＭ（グローバル移動通信システム）セルラー方式通信システムと呼ばれるセルラー方式通信システムは、第２世代セルラー方式通信システムの典型例である。ＧＳＭシステムは、ＥＴＳＩ（欧州電気通信標準化機構）によって公表された動作仕様に規定されたプロトコルおよび規格に従って動作する。ＧＳＭシステムは、周波数分割多元接続（ＦＤＭＡ）と時分割多元接続（ＴＤＭＡ）の通信スキームの組み合わせを利用する通信スキームを規定する。ＧＳＭ動作仕様に従って動作できるように構成されたネットワークは様々な領域にわたって導入されている。多数のユーザがＧＳＭシステムにおけるサービスに加入し、それを通じて電話による通信を行う。同様に、他の動作仕様に従って動作可能である別のセルラー方式通信システムもまた様々な領域にわたって構成されている。また、多数の他のユーザがこのような他のシステムのサービスに加入する。モバイルノードは、加入者がモバイルノードを携行することを可能にさせる寸法である。モバイルノードは、典型的に、従来の電話局の動作を模倣するように構成される。すなわち、モバイルノードは、典型的に、少なくともモバイルノードのユーザの立場から、従来の電話局が電話呼出を発生および終端するために利用される方式に対応した方式で電話呼出の発生と終端の両方を行うように動作可能である。
【００１３】
コールは、モバイルノードにおける終端のために、モバイルノードに設定され得、または、モバイルノードで発生され得る。シグナリングはコール設定の一部としてコールセットアップ手続中にモバイルノードにおいて生成される。また、このコールセットアップ手続に従って、呼出音のような警報がモバイルノードで発生させられる。この警報は、コールが設定されたモバイルノードのユーザに注意を促す。また、モバイルノードのユーザは、その警報に応じてコールを受け付けることが可能である。コールは、従来の有線局のユーザが有線局をオフフックする方式と同様の方式で受け付けられる。
【００１４】
コールがモバイルノードで設定されるとき、コールはモバイルノードで発生させられたものと称される。コールを発生するために、ユーザは、局、すなわち、被呼者を特定するダイヤル数字を入力し、コールはそこに設定されること、すなわち、終端されることが意図される。この場合も、コールは、被呼者に関連したダイヤル数字が従来の有線局で入力される方式と類似した方式で設定される。コールシグナリング手続はコールを「セットアップ」するために実行される。このようなコールシグナリング手続は一般にユーザからは見えない。
【００１５】
一部の地域では、ある指定されたサービスセンターは短縮コードで指定される。すなわち、本明細書において場合により短縮番号または短縮ダイヤルコード（ｓｈｏｒｔ  ｄｉａｌｉｎｇ  ｃｏｄｅ）と呼ばれる短縮ダイヤルコード（ｓｈｏｒｔｅｎｅｄ  ｄｉａｌｉｎｇ  ｃｏｄｅ）は、そのある指定されたサービスセンターを特定する。例えば、米国では、ある地域は、９−１−１、すなわち、緊急サービスセンターを有する。また、この９−１−１コードは緊急番号と呼ばれることもある。例えば、緊急支援に対する要求を設定する人は、電話局で９−１−１コードを入力する。そのコールは、結果として、適切な９−１−１サービスセンターへ経路制御される。９−１−１サービスセンターは、要求に対する迅速な応答を支援する設備を含む。別の地域では、別のコードがこのようなサービスセンターを特定するため使用される。例えば、英国では、緊急サービスセンターは、電話局から９−９−９コードを入力することによって電話によりアクセスされる。
【００１６】
一部の他のサービスセンターは同様に短縮番号によって指定される。例えば、電話番号案内センターは、英国のある地域では、電話局において、４−１−１コードを入力することによって電話によりアクセスされる。英国の一部分のような一部の他の地域では、電話番号案内センターは１−９−２コードの入力によって電話によりアクセスされる。同様に、オペレータ支援は一部の地域では数字「０」の入力によって、一部の他の地域では短縮コード１−０−０の入力によって電話によりアクセスされる。
【００１７】
モバイルノードを介して短縮ダイヤルコードを入力するためにモバイルノードが使用されるときに問題が生じることがある。例えば、モバイルノードは、特殊なサービスセンタータイプを指定する短縮コードが第１の数字の組または系列からなる地域に位置し得、そのモバイルノードはその後に、特殊なサービスセンタータイプを指定する短縮コードが異なる数字の組または系列からなる地域に位置し得る。例えば、モバイルノードは、まず、緊急サービスセンターと関連した短縮コードが９−１−１の数字からなる地域に位置し得る。また、その後、モバイルノードは位置を変えられ、緊急サービスセンターと関連した短縮コードが９−９−９の数字の系列からなる地域に位置し得る。
【００１８】
モバイルノードと関連したホームネットワーク、すなわち、一般にモバイルノードのユーザが慣れているネットワークは、モバイルノードが後に配置されるネットワークによって使用される短縮コードとは異なる短縮コードを有効に使用し得る。
【００１９】
そのユーザが慣れている短縮コード、または、モバイルノードに記憶された短縮コード（例えば短縮ダイヤルを目的として）は、意図されたサービスセンターへのコールを実施するために必要とされるコードとはかなり異なり得る。モバイルノードのユーザが呼び出すことを意図したサービスセンターと関連した短縮コードが、そのサービスセンターへアクセスするために異なる短縮コードを利用する場所で入力された場合、意図されたサービスセンターはアクセスされない。
【００２０】
従って、短縮コードを使用して、モバイルノードからサービスセンターへのコールをより良く設定する方式が必要とされている。すなわち、モバイルノードのユーザによる短縮コードの入力によってアクセスされるサービスセンターが、そのサービスセンターへのコールが設定されたときに、モバイルノードの位置とは無関係にアクセス可能であり続けるように、モバイルノードに備わっている移動性を考慮するために用いられる方式が必要とされている。
【００２１】
無線通信システムにおける通信に関連した上記の背景技術の情報に鑑みると、本発明の重要な改良点が導き出される。
【発明の開示】
【課題を解決するための手段】
【００２２】
（発明の要旨）
本発明は、９−１−１または９−９−９の短縮ダイヤルコードのような短縮ダイヤルコードによってモバイルノードのユーザを特定可能である、緊急派遣センターまたは電話番号案内センターのようなサービスセンターへのモバイルノードのユーザによるコール設定を容易にする装置および関連した方法を提供する点が有利である。
【００２３】
本発明の一実施形態の動作を通じて、モバイルノードが登録されているネットワークにおいて使用される短縮コードをモバイルノードへブロードキャスト、さもなければ配信する方式が提供される。一旦モバイルノードへ配信されると、配信された短縮ダイヤルコードは、サービスセンターを特定するために、ユーザによって一般に使用される短縮ダイヤルコードと関連付けられる。
【００２４】
サービスセンターは、モバイルノードのユーザによる入力、または、ユーザがサービスセンターと関連付けた短縮ダイヤルコードに応じて連絡が取られる。コールが開始されたときにモバイルノードが置かれている場所とは無関係に、ユーザによって同じコードが入力される。ユーザによって入力された短縮ダイヤルコードが、コールが設定された場所で使用される短縮ダイヤルコードとは異なる場合、入力されたダイヤルコードは置き換えられ、コールは、適切な、すなわち、置き換えられた短縮ダイヤルコードを使用して設定される。モバイルノードのユーザは、様々な地域にわたって使用される短縮ダイヤルコードを知る必要はない。ユーザによって恒常的に使用される短縮ダイヤルコードは、モバイルノードの場所、すなわち、モバイルノードが置かれている場所とは無関係に、ユーザによって使用され続ける。
【００２５】
必要に応じて、モバイルノードにおいて入力された短縮ダイヤルコードは置き換えられる。また、代替のダイヤルコード、すなわち、置き換えられたダイヤルコードは、モバイルノードにおいて入力されたコードと置き換えられる。ユーザは適切なサービスセンターへのコールを完了するために、特定の地域において使用されるダイヤルコードを知る必要、または、入力する必要がないために、ある指定されたサービスセンターへ設定されることが意図されたコールは、本発明の一実施形態の動作を通じて無事に完了する可能性が高い。
【００２６】
本発明の一局面では、ネットワーク部識別コードはネットワーク配置型コード配信検出器に供給される。コード配信検出器は、移動通信システムのネットワーク部分の特定のネットワーク部で具体化され、または、ネットワーク部に関連付けられる。特定のネットワーク部は、緊急サービスおよび派遣センター、電話番号案内センター、ならびに、オペレータ支援センターのようなサービスセンターを特定するため用いられる選択された短縮ダイヤルコードを利用する。また、コード配信検出器へ供給されたネットワーク部識別コードは、サービスセンターを特定するため特定のネットワーク部で使用される選択された短縮ダイヤルコードに対応する値からなる。一旦検出器へ配信されると、値は検出器、または、検出器に関連付けられたメモリに保持される。
【００２７】
本発明の別の局面では、ブロードキャストスケジューラはコード配信検出器に接続され、それによって、検出器によって検出されたネットワーク部識別コードの値が提供される。ブロードキャストスケジューラは、検出器によって検出されたネットワーク部識別コードのブロードキャストの予定を立てるように動作する。ブロードキャストは、ネットワーク部によって網羅された地理上の領域の、少なくとも一部分（例えば、全部分）に亘って予定を立てられる。ブロードキャストは、周期的間隔のような選択された間隔で繰り返されるように予定が立てられる。ブロードキャストスケジューラは、例えば、ブロードキャストスケジューラに関連付けられた特定のネットワーク部の基地トランシーバー局のうちの選択された一部、または、全部によるコードのブロードキャストの予定を立てる。
【００２８】
ネットワーク配置型コード配信検出器および識別コードブロードキャストスケジューラは、例えば、モバイルノードが登録されている移動通信システムのネットワーク部のＢＳＣ（基地局コントローラ）に接続されたセルブロードキャストセンターにおいて具体化される。スケジューラがブロードキャストのスケジュールを作成すると、スケジューラは、情報のブロードキャスト元である影響を受けた基地トランシーバー局の動作を制御する基地局コントローラへ供給される。情報は、例えば、ＧＳＭ／３ＧＰＰシステム（グローバル移動通信システム／第３世代パートナーシッププロジェクト）動作仕様に規定されているセルブロードキャストチャネルのようなセルブロードキャストチャネルにおいてブロードキャストされる。
【００２９】
本発明の別の局面において、アプリケーションサーバは、短縮ダイヤルコードが保存されるデータベースを保持する。一つのインプリメンテーションにおけるアプリケーションサーバ、または、その他の機能エンティティは、モバイルノードが登録されているネットワークの一部分を形成するか、そのネットワークに接続されるか、さもなければそのネットワークに関連付けられる。アプリケーションサーバは、例えば、モバイルノードが登録されている移動通信システムのネットワーク部のＣＢＣ（セルブロードキャストセンター）に接続される。別のインプリメンテーションでは、アプリケーションは、移動通信システムのネットワーク部分の別のパートの一部分を形成するか、別のパートに接続されるか、さもなければ別のパートに関連付けられる。アプリケーションサーバは、例えば、モバイルノードのホームネットワークで具体化される。このインプリメンテーションでは、アプリケーションサーバのデータベースは、この場合も、ダイヤルコードのレポジトリを形成する。さらなるインプリメンテーションでは、ダイヤルコードのレポジトリは、モバイルノードが潜在的に動作可能であるシステムの全体の至る所で使用されるダイヤルコード、さもなければ使用可能なダイヤルコードを含む。
【００３０】
アプリケーションサーバに保持されるデータベースは、一つのインプリメンテーションでは、そこに保存される短縮ダイヤルコードに関連付けられたさらなる標示を含む。さらなる標示は、例えば、一つ以上の言語において、短縮ダイヤルコードに関連付けられたニーモニックからなる。ニーモニックは、例えば、短縮ダイヤルコードに関連付けられた名前を特定する。二つ以上の言語に設けられると、次に、短縮ダイヤルコードに関連付けられたニーモニックの言語の選択が可能になる。
【００３１】
本発明の別の局面では、モバイルノードは、識別コードブロードキャストスケジューラによって予定を立てられ、選択された地理上の領域の至る所へブロードキャストされた短縮ダイヤルコードのブロードキャストを検出する。さらなる標示が短縮ダイヤルコードの値とともにブロードキャストされると、さらなる標示の検出は同様にモバイルノードによって行われる。コードブロードキャスト検出器は、例えば、モバイルノードでのブロードキャスト情報の受信を検出するために、モバイルノードの受信部に接続されるか、または、受信部で具体化される。情報がセルブロードキャストチャネルでブロードキャストされるインプリメンテーションでは、モバイルノードの受信部は、少なくとも選択された間隔で、セルブロードキャストチャネルを監視させられる。情報が別のチャネルでブロードキャストされるとき、受信部は、必要に応じて、このような他のチャネルを監視させられる。
【００３２】
本発明の別の局面では、短縮ダイヤルコードの検出された値、および、短縮ダイヤルコードに関連付けられたニーモニックのようなモバイルノードで検出されたさらなる標示は、インデクサへ供給される。インデクサは、モバイルノードへブロードキャストされ、検出器によって検出された配信短縮ダイヤルコードとともに、一つ以上のサービスセンターを特定するため、モバイルノードで使用される短縮ダイヤルコードにインデックスを付ける。ニーモニック、または、短縮ダイヤルコードもしくはそれに関連したサービスセンターに関連付けられた任意のさらなる情報もまた、必要に応じて、一体的にインデックスが付けられる。一体的にインデックスが付けられると、モバイルノードダイヤルコードとその代替ダイヤルコードとの間のマッピングが容易に確かめられる。
【００３３】
モバイルノードのユーザがコールをサービスセンターへ設定するため短縮ダイヤルコードを入力すると、入力されたダイヤルコードの数字の値は、モバイルノードへブロードキャストされた対応するダイヤルコードの値にマッピングされる。また、ダウンロードされた対応するダイヤルコードの値は入力されたダイヤルコードに置き換わる。置き換えられると、その他の点では通常の呼出手順が実行され、サービスセンターへコールを設定する。入力されたダイヤルコードはダウンロードされたダイヤルコードで置き換えられているため、コールは適切なサービスセンターで完了、すなわち、終了する。コールが設定されるネットワークで使用されるダイヤルコードをモバイルノードのユーザが知らない場合でさえ、コールは完了させられ得る。また、モバイルノードのユーザは、選択されたサービスへコールを設定するため入力されたダイヤルコードが、ユーザがコールを開始した地域内で使用されていないことを意識する必要がない。この手順は、例えば、自動化され、代替的なダイヤルコードの要求はモバイルノードのユーザに全く気付かれることなく配信される。それによって、モバイルノードのユーザは、コールが開始されたときにユーザおよびモバイルノードが位置している場所とは無関係に、サービスセンターへのコールをよりよく完了することが可能であるので、モバイルノードのユーザ承認の改良が容易になる。
【００３４】
また、サービスセンターが、緊急サービス要求が要請される緊急サービスセンターを形成するとき、入力されたダイヤルコードを代替ダイヤルコードに置き換えることは、最も重要なコール（例えば、緊急支援を要請するコール）が完了し、適切な支援が与えられることをより確実にする。
【００３５】
モバイルノードは、そのモバイルノードが通常は動作しているホーム地域で利用可能な短縮ダイヤルコードの個数よりも多数の短縮ダイヤルコードが使用可能な地域に位置し得る。このような地域では、モバイルノードへブロードキャストされたブロードキャスト情報はその地域で使用される短縮ダイヤルコードを含む。一体的にインデックスが付けられたダイヤルコードの他に、１個以上の、さらなる、ダウンロードされたダイヤルコードがモバイルノードで使用可能である。さらなるダウンロードされたダイヤルコードはモバイルノードで保持され、それに関連付けられた標示は、例えば、一つ以上のさらなるサービスセンターに関連付けられたさらなる短縮ダイヤルコードのユーザによる可用性をユーザに確認させるために、ユーザーディスプレイに表示可能である。
【００３６】
いずれかの短縮ダイヤルコードに関連付けられたニーモニックまたはその他の標示は、同様に、ユーザによる適切なサービスセンターへのコールの開始に使用される短縮コードの可用性をモバイルノードのユーザに確認させるために、ユーザーディスプレイに表示可能である。例えば、アイコンなどがモバイルノードのユーザーディスプレイに表示可能である。また、適切な言語によるニーモニックが同様にユーザーディスプレイに表示可能である。言語の優先度はモバイルノードで選択的に入力されるか、または、デフォルトが優先言語になる。ブロードキャスト情報が二つ以上の言語のニーモニック標示を含む場合、優先言語のニーモニックがモバイルノードによって使用される。他の言語のニーモニックは、例えば、破棄されるか、さもなければモバイルノードによって使用されない。
【００３７】
それによって、代替短縮ダイヤルコードが、モバイルノードが登録されているネットワークにおける使用のためにモバイルノードにダウンロードされる方式が提供される。モバイルノードのユーザが、サービスセンターに関連付けられたダイヤルコードを入力するか、または、入力を引き起こすとき、ダイヤルコードは入れ換えられ、適切な、代替ダイヤルコードで置き換えられる。モバイルノードのユーザが、サービスセンターへのコールの完了を生じさせないダイヤルコードを使用する場合であっても、短縮ダイヤルコードに関連付けられたサービスセンターへ設定されたコールは設定される。
【００３８】
無線機器が最初にワイヤレスネットワークを発見したときに、その無線機器がデータのブロードキャストチャネルは利用可能であるかどうかを判定するメカニズムが提供される。このようなチャネルが利用可能である場合、無線機器は、次に、短縮ダイヤルコードがブロードキャストチャネルでブロードキャストされているという判定がなされるまで、ブロードキャストチャネルを監視する。このような判定時に、ブロードキャストされた短縮ダイヤルコードの値は、無線機器にダウンロードされる。ダウンロードされると、ダウンロードされた値は、無線機器に永久保存された対応する数字にマッピングされる。ダウンロードされた値は、無線機器がこのようなダウンロードされたコードを使用するネットワーク部によって包含される地域に留まる間、無線機器において保存される。無線機器が次に場所を移したとき、短縮ダイヤルコードの値のダウンロードが再び実施され、マッピングが再び実行されるため、ダウンロードされた値は、無線機器が関連付けられることになったネットワーク部に関して最新、すなわち、適切である。
【００３９】
上記および別の局面では、その結果として、通信ネットワークのネットワーク部と通信するように動作可能であるモバイルノードを有する無線通信システムのための装置および関連した方法が提供される。無線通信システムは、モバイルノードから発生したコールがネットワーク部を介して経路制御される少なくとも第１のサービスセンターを有する。その少なくとも第１のサービスセンターから選択されたサービスセンターへのモバイルノードのユーザによるコール設定は容易になる。ネットワーク配置型コード配信検出器は、少なくとも第１の選択されたコールセンターのうちの少なくとも選択されたコールセンターを特定するネットワーク部識別コードを受信するように適合される。ネットワーク配置型コード配信検出器は、そこで受信された各ネットワーク部識別コードの値を検出する。識別コードブロードキャストスケジューラはネットワーク配置型コード配信検出器に接続され、そこで検出された値の識別情報を受信する。識別コードブロードキャストスケジューラは、少なくとも、ネットワーク部によって網羅された地域の少なくとも一部分に亘る選択された値のブローキャストのスケジュールを立てる。
【００４０】
上記およびさらなる局面では、通信ネットワークのネットワーク部と通信するように動作可能であるモバイルノードを有する無線通信システムのためにも提供される。無線通信システムは、モバイルノードから発生したコールがネットワーク部を介して経路制御可能である少なくとも第１のサービスセンターを有する。その少なくとも第１のサービスセンターの選択されたサービスセンターへのコールの設定は容易になる。モバイルノード配置型コードブロードキャスト検出器は、少なくとも第１の選択されたコールセンターを特定する少なくとも第１のネットワーク部識別コードのモバイルノードへのブロードキャストの値を検出する。インデクサはモバイルノード配置型コードブロードキャスト検出器に接続される。インデクサは、少なくとも第１のモバイルノード識別コードの値とともに、モバイルノード配置型コードブロードキャスト検出器によって検出されたネットワーク部識別コードの値にインデックスを付ける。
【００４１】
本発明と本発明の範囲についてのより完全な理解は、以下に簡単に要約した添付図面と、現時点における本発明の好ましい実施形態の以下の詳細な説明と、添付の特許請求の範囲とから得ることができる。
【発明を実施するための最良の形態】
【００４２】
（詳細な説明）
まず図１を参照すると、全体が１０で表された移動通信システムは、モバイルノードによる無線通信を提供するように動作する。モバイルノード１２は、通信システム内で動作可能であり、通信システムの一部を形成するモバイルノードを表す。移動通信システムは、ここでは、複数の同時通信セッションが複数のモバイルノードによって並行して実施されることを可能にするマルチユーザ通信システムを形成する。図１は１台のモバイルノード１２のみを示すが、実際のインプリメンテーションでは、移動通信システムは、典型的に、多数のモバイルノード１２を含む。また、モバイルノードは、別個の通信セッションに従って同時に動作可能であり、それによって、種々の通信サービスを実施する。モバイルノード１２の表現と類似し、さらなるポイント・ツー・ポイント通信サービスまたはポイント・ツー・マルチポイント通信サービスに従って動作可能であるさらなるモバイルノードが図中に表され得る。
【００４３】
通信システム１０は、例示的なインプリメンテーションでは、適切な携帯電話動作仕様に準拠するセルラー方式通信システムを形成する。また、より詳細には、セルラー方式通信システムは、ここでは、一般に、３ＧＰＰ（第３世代パートナーシッププロジェクト）によって発布された、第３世代（３Ｇ）ＧＳＭ（グローバル移動通信システム）セルラー方式通信システム案の動作パラメータを指定する動作仕様に準拠して動作可能である。以下の説明は、本発明の一実施形態の例示的な動作を、ＧＳＭ／３ＧＰＰセルラー方式通信システムにおけるそのインプリメンテーションに関して記述する。本発明の実施形態は、他のタイプの移動体、および、他の無線通信システムでも同様にインプリメントされ得る。従って、本明細書で記述された本発明の種々の実施形態の例示的な動作は、他のタイプの通信システムにおいてインプリメントされる本発明の実施形態の動作に関しても同様に記述され得ることが理解されるべきである。
【００４４】
移動通信システムは固定ネットワークを含む。モバイルノードは、ネットワークとモバイルノードとの間の無線リンクに規定されたチャネルを介してネットワークと通信する。ネットワークによってモバイルノードへ通信されるデータは、ダウンリンクで通信されるものとして参照されることがあり、モバイルノードによってネットワークへ通信されるデータはアップリンクで通信されるものとして参照されることがある。ここで、ダウンリンクは矢印１４によって表現され、アップリンクは矢印１６によって表現される。ダウンリンクチャネルはダウンリンクに規定され、アップリンクチャネルはアップリンクに規定される。例示的なＧＳＭ／３ＧＰＰシステムにおけるダウンリンクチャネルおよびアップリンクチャネルは、周波数とタイムスロットの組み合わせの観点から規定される。制御データとトラフィックデータの両方が、ダウンリンクおよびアップリンクのそれぞれに規定された様々なチャネルで通信される。
【００４５】
その通信システムのネットワークは、第１のＧＳＭネットワーク部１８と第２のＧＳＭネットワーク部２２の二つのＧＳＭネットワーク部を示す。さらなるネットワーク部が同様に表され得る。ネットワーク部１８および２２は、従来の方式で、ＳＳ７シグナリングネットワーク２４を介して、一体的に接続される。別のインプリメンテーションでは、Ｘ．２５ネットワークのような別のタイプのベアラネットワークがＧＳＭネットワーク部を相互接続する。例えば、別のインプリメンテーションでは、Ｘ．２５ネットワークはネットワーク部１８と２２を相互接続する。
【００４６】
ネットワーク部はそれぞれ、上記の動作仕様案に規定されたＧＳＭネットワークのネットワークインフラストラクチャの機能要素を含む。ネットワーク部１８は、例えば、無線ネットワーク要素を含み、ここでは、基地トランシーバー局（ＢＴＳ）２６とそこに接続された基地局コントローラ（ＢＢＣ）２８を含むように表されている。基地トランシーバー局は、モバイルノードとデータを送受信するように動作する送受信回路を含む。また、基地局コントローラは、１台の基地トランシーバー局によって代表される基地トランシーバー局のグループの動作を制御するように動作する。基地局コントローラは、次に、モバイルスイッチングセンター／ビジターロケーションレジスタ３２に接続される。ホームロケーションレジスタ（ＨＬＲ）３４はモバイルスイッチングセンター／ビジターロケーションレジスタへ機能的に接続される。アプリケーションサーバ３６がＧＳＭネットワーク部１８に関連付けられ、ここで、セルブロードキャストセンターへ機能的に接続される。セルブロードキャストセンター３８はネットワーク１８に関連付けられる。
【００４７】
ネットワーク部２２は対応する要素を含む。すなわち、第２のネットワーク部は同様に、無線ネットワークの通常参照される要素、すなわち、基地トランシーバー局（ＢＴＳ）２６および基地局コントローラ（ＢＳＣ）２８を含む。また、第２のネットワーク部はモバイルスイッチングセンター／ビジターロケーションレジスタ（ＭＳＣ／ＶＬＲ）３２およびホームロケーションレジスタ（ＨＬＲ）３４も含む。ここでは４０で表されているアプリケーションサーバは同様に第２のネットワーク部で具体化され、セルブロードキャストセンター４２は第２のネットワーク部でさらに具体化される。
【００４８】
ＳＳ７ネットワーク２４、または、別の適切なネットワークは、別個のＧＳＭネットワーク部１８と２２との間における信号およびデータの通信を提供するシグナリングネットワークを形成する。ＳＳ７ネットワークは、従来の方式で、サービス中継点（ＳＴＰ）を形成するスイッチングノードを含む。さらなるネットワークがＳＳ７ネットワークに接続可能である。例えば、公衆交換電話網（ＰＳＴＮ）または統合サービスデジタル網（ＩＳＤＮ）はＳＳ７ネットワークに接続可能である。
【００４９】
サービスセンター４４はＳＳ７ネットワークへ機能的に接続される。そのサービスセンターは、上記のＰＳＴＮまたはＩＳＤＮネットワークを用いるような選択された方式によってＳＳ７ネットワークへ物理的に接続される。あるいは、サービスセンター４４は、別の接続を用いて通信システム１０の一部を形成するため、他の場所へ接続され得る。サービスセンター４４はコード化された数字のシーケンスによって特定される呼出場所を表す。また、ここで、より詳細には、サービスセンターは、第１のネットワーク部１８によって第１のコードを用いて特定され、第２のネットワーク部２２によって第２のコードを用いて特定される呼出場所を表す。
【００５０】
サービスセンター４４は、例えば、緊急派遣センターを表す。一部の地域では、緊急派遣センターはコード９−１−１によって特定され、他の一部の地域では、コード９−９−９によって特定される。あるいは、サービスセンターは、例えば、電話番号案内センターを表す。一部の地域では、電話番号案内サービスセンターはコード４−１−１によって特定され、他の一部の地域では、コード１−９−２によって特定される。あるいは、サービスセンターは、一部の地域では、ダイヤルコード「０」によって特定され、他の一部の地域では、１−０−０のダイヤルコードによって特定されるオペレータ支援センターを表す。また、サービスセンターは、適切なダイヤルコードの入力によって電話によりアクセス可能である様々な他のサービスセンターも表す。
【００５１】
モバイルノードは、ここでは、受信部４６および送信部４８を含む。受信部および送信部は、従来の方式で、通信システムの動作に従ってデータを送受信するように動作する。また、モバイルノードは、ユーザ入力アクチュエータ５４およびユーザーディスプレイ５６を備えるユーザインタフェース５２も含む。
【００５２】
ユーザはサービスセンターと通信しなければならないことがある。また、サービスセンターとの通信は、本発明の一実施形態の動作に従ってモバイルノードによって実施可能である。従来通りのモバイルノードの動作中に、ユーザは、サービスセンターに関連付けられたコードを入力するか、または、コードを入力させる。ユーザは、例えば、入力アクチュエータ５４の適切な作動によってコールを開始する。入力アクチュエータ（例えば、電話キーパッド）は、指定されたサービスセンターに関連付けられたダイヤルコードを入力するためユーザによって作動される。あるいは、「短縮ダイヤル」手順が使用され、これを用いて呼出手順が実行され、サービスセンターとのコール接続が形成される。この手順は、入力されたダイヤルコードまたはユーザによって入力させられたダイヤルコードがコールをサービスセンターへ経路制御するため通信システムのネットワーク部によって使用されるコードであるとき、従来の方式でうまく実行される。
【００５３】
しかし、サービスセンターは、ここでは、ネットワーク部１８および２２によって網羅される地域である異なるネットワーク部によって網羅される地域のような異なる地域では異なるコードによって特定される。また、コールは従来の呼出手順を使用して完了しないことがあり得る。本発明の一実施形態に従って、ネットワーク１８によって網羅される特定の地域で使用される短縮ダイヤルコードの値のブロードキャストは、セルブロードキャストセンターで具体化された装置５８の動作によって引き起こされる。対応した装置はセルブロードキャストセンター４２で具体化される。
【００５４】
ブロードキャストを実施させることにより、サービスセンターへのコールの完了は、コールがサービスセンターへ設定されたときに通るネットワーク部とは無関係に実施される。装置の要素は機能的に表現されている。また、このような要素によって与えられる機能は、例えば、適切な処理回路によって実行可能なアルゴリズムを用いるような所望の方式で実施され得る。また、このような要素によって与えられる機能は、様々なインプリメンテーションでは、モバイルノードの送信部または受信部のそれぞれのようなモバイルノードの別の構造によって実行される。
【００５５】
この装置はコード配信検出器６２を含む。コード配信検出器は、サービスセンター４４のようなサービスセンターを特定するためネットワーク部１８で使用される短縮ダイヤルコードの値のセルブロードキャストセンターへの通信を検出するために、セルブロードキャストセンターを介して基地局コントローラへ接続される。検出器は、ここでは、そこへ通信された短縮ダイヤルコードの全ての値を検出する。すなわち、複数の異なるサービスセンターを特定する短縮ダイヤルコードを識別する複数の異なる値がセルブロードキャストセンターへ通信される場合、検出器はブロードキャストセンターへ通信された値の全てを検出する。
【００５６】
また、セルブロードキャストセンターで具体化された装置５８は、コード配信検出器６２に接続された識別コードブロードキャストスケジューラ６４をさらに含む。検出器によって検出された短縮ダイヤルコードの値は識別コードブロードキャストスケジューラへ供給される。また、ブロードキャストスケジューラは、ネットワーク部１８によって網羅された少なくとも選択された地域に亘って、他の情報と共に、短縮ダイヤルコードの選択されたブロードキャストの予定を立てる。すなわち、スケジューラは、ネットワーク部の基地トランシーバー局によって定められた一つ以上のセルに亘って、短縮ダイヤルコード情報のブロードキャストの予定を立てる。また、例示的なインプリメンテーションでは、スケジューラは、ネットワーク部１８に関連付けられたセルの一つずつで使用されるダウンリンクチャネルに定められたセルブロードキャストチャネルにおける情報のブロードキャストの予定を立てる。
【００５７】
例示的なインプリメンテーションでは、スケジューラによって予定を立てられたブロードキャストは、選択された間隔で繰り返されるように予定が立てられる。選択された間隔は、モバイルノード１２のようなモバイルノードによる間隔の検出が容易になるように、例えば定期的、すなわち、周期的な間隔になるように選択される。ブロードキャストスケジューラによって作成されたブロードキャストスケジュールは、セルブロードキャストセンターと、１台、または、必要に応じて、複数台の基地局コントローラを介して供給される。１台以上の基地局コントローラへ配信されると、基地局コントローラは、影響を受ける基地トランシーバー局に、短縮ダイヤルコードに関連付けられたニーモニック情報のような他の情報と共に、短縮ダイヤルコードの値を含む信号をブロードキャストさせる。基地トランシーバー局は、ブロードキャストスケジューラによって作成されたスケジュールに従って信号をブロードキャストさせられる。
【００５８】
ネットワーク部２２のような他のネットワーク部で具体化された装置５８は、装置が具体化されているネットワークで使用される短縮ダイヤルコードの値を検出するため、同じように動作する。また、このようなその他のネットワーク部で使用される短縮ダイヤルコードの値のブロードキャストは、結果として生じるブロードキャストが実施されるときに、このようなその他のネットワーク部によって網羅された地域内に配置されたモバイルノードへこのようなその他のネットワーク部で使用される短縮ダイヤルコードが通知されるように類似の形式で予定が立てられる。また、モバイルノードが一方のネットワーク部によって網羅された地理上の領域から出て、別のネットワーク部によって網羅された地域へ入るとき、他のネットワーク部で具体化された装置によってブロードキャストさせられる信号は、モバイルノードが位置する地域で使用されるダイヤルコードの情報でモバイルノードを更新する。それによって、モバイルノードは、そのモバイルノードが配置された地域内の短縮ダイヤルコードの値の通知を受けられるままである。
【００５９】
例示的なインプリメンテーションでは、本発明の一実施形態のさらなる装置はまた通信システムのネットワークにおいて具体化される。また、より詳細には、例示的なインプリメンテーションにおいて、本発明の一実施形態のさらなる装置はネットワーク部１８のアプリケーションサーバ３６において具体化される。アプリケーションサーバ３６において具体化された装置は、ここでは、リトリーバ７２およびデータベース７４を含むように表されている。また、同様に、本発明の一実施形態のさらなる装置はネットワーク部２２のアプリケーションサーバ４０において具体化される。
【００６０】
アプリケーションサーバにおいて具体化された装置は、ここでは、セルブロードキャストセンターへ通知され、その検出器６２で検出された情報の出所である。データベース７４は、サービスセンター４２のようなサービスセンターを特定するために、ネットワーク部において使用される短縮ダイヤルコードのリストを保持する。リトリーバ７２は、ダイヤルコードの値を取り出すために、データベースの適切な記憶場所へ選択的にアクセスする。また、取り出された値はセルブロードキャストセンターへ通信される。
【００６１】
本発明のさらなる実施形態、または、代替実施形態では、セルブロードキャストセンターへ通信された短縮ダイヤルコード情報は、ネットワーク部１８を越えて配置されたアプリケーションサーバにおいて具体化された装置から発生する。第２のネットワーク部２２のアプリケーションサーバ４０は、情報が発生させられたこのような外部ネットワーク部のアプリケーションサーバを表す。ネットワーク部２２は、例えば、モバイルノード１２のホームネットワークである。
【００６２】
モバイルノード１２は、本発明の一実施形態の装置５８も含む。ここでもまた、装置を形成する要素は機能的に表現されている。図示された機能的要素によって実行される機能は、例えば、処理回路によって実行可能なアルゴリズムを用いるような所望の方式で実行される。
【００６３】
モバイルノードにおいて具体化された装置は、ここでは、受信回路４６に接続され、または、受信回路４６の一部を形成するコードブロードキャスト検出器８２を含む。コードブロードキャスト検出器は、短縮ダイヤルコードの値およびこのような短縮ダイヤルコードに関連付けられた別の情報を含むセルブロードキャストチャネルでブロードキャストされた信号を検出するように動作する。
【００６４】
検出器によって行われた検出結果はインデクサ８８に提供される。インデクサ８８はまた、本発明の一実施形態の装置５８の一部を形成する。インデクサは、記憶要素９２を含むか、または、記憶要素９２に接続される。
【００６５】
インデクサ８８は、モバイルノードまたはそのユーザによってサービスセンターと関連付けられた識別コードの永久保存された値とともに、セルブロードキャストチャネル上の短縮ダイヤルコードのブロードキャストの結果としてモバイルノードへダウンロードされ、検出器８２によって検出された識別コードの値を、インデックスを付けるように動作する。ダウンロードされた値を用いて永久保存された値にインデックスを付けることにより、コールがその後に指定されたサービスセンターへ実施されるべきときに、別個の値の間に関連性が形成され、値のマッチングと、適切な値の使用が可能になる。
【００６６】
値に一体にインデックスが付けられると、値は記憶要素９２に格納され、コールがモバイルノードにおいて指定されたサービスセンターへ設定されるべきときに後で取り出ことは可能である。値は、例示的なインプリメンテーションでは、最新識別コードのその後のダウンロードがモバイルノードに対して行われるまで、そこに保存されたままである。その後のダウンロードは、例えば、モバイルノードがその後に異なる短縮ダイヤルコードの値が使用される別のネットワーク部によって網羅された地域に再配置されたときに行われる。最新値のダウンロードは、一つのインプリメンテーションでは、モバイルノードによって監視されているセルブロードキャストチャネルにおいて通信された信号はモバイルノードに保存されている短縮ダイヤルコードの値とは異なる値で構成されていることがモバイルノードにおいて識別された結果として行われる。別のインプリメンテーションでは、動作はモバイルノードの登録に応じて開始される。すなわち、モバイルノードの登録に応じて、セルブロードキャストチャネルを、そこでブロードキャストされた短縮ダイヤルコードの値および別の情報を検出するために監視する。検出された値は後の使用のために、必要に応じてインデックスを付けられ保存される。
【００６７】
モバイルノードにおいて具体化された装置はまた、インデクサとユーザインタフェース５２のユーザ入力アクチュエータ５４との両方に接続されたトランスポーザ９４を含む。これによって、モバイルノードのユーザによるサービスセンターへのコールが開始されたとき、トランスポーザはコール設定を認識させられる。すなわち、ユーザがサービスセンターの短縮ダイヤルコードを入力したとき、短縮ダイヤルコードの値はトランスポーザへ提供される。ユーザによって入力され、サービスセンターへのコール試行に関連付けられた他の入力標示は、同様にトランスポーザへ提供される。また、コール開始に応じて、トランスポーザは、ユーザアクチュエータを用いて入力された値、さもなければサービスセンターへのコールの開始に従ってそこへ提供させられた値を、サービスセンターを特定する対応したダウンロードされた値と共に、置き換えるように動作する。サービスセンターへのコールを開始するためユーザによって入力された値が、モバイルノードが動作可能であるネットワークにおいて使用される値と異なる場合、ダウンロードされ、インデクサによってインデックスを付けられ、入力に対して記憶要素に格納された値を、トランスポーザが置き換える。また、トランスポーザは置換後の値を送信部４８へ提供する。通常のコール手順は、その後、コールをサービスセンターへ設定するため利用される。指定されたサービスセンターへの設定に成功することがなかったコールは、装置５８の動作によって、完了させることが可能である。
【００６８】
また、少なくとも１つのインプリメンテーションでは、モバイルノードが登録されているネットワーク内で用いられるダイヤルコードを使用してコールを設定させるためこの装置によって実行される機能は自動的に実行される。ユーザは、ユーザが慣れている方式でサービスセンターへのコールを開始することだけが必要である。装置５８の動作は、適切な短縮ダイヤルコードを、入力されたダイヤルコードと置き換える。また、コールはその後に通常の方式で設定される。
【００６９】
図２は本発明の一実施形態の動作に従って記憶要素９２に格納されたデータを表現したものを示す。列１０４に格納されたデータはサービスセンターに関連付けられたモバイルノードダイヤルコードを表し、列１０６に格納されたデータは対応するサービスセンターに関連付けられたダウンロードされたダイヤルコードを表す。また、列１０８に格納されたデータは、対応するダイヤルコードに関連付けられたニーモニックのような別の標示を表す。モバイルノードが登録されているネットワーク部は、より多数、または、より少数の、短縮ダイヤルコードによって特定されるサービスセンターを有し得る。
【００７０】
図３は、全体が１１２で表され、本発明の一実施形態の動作に従って、通信システム１０のような通信システムの例示的な動作中に生成されたシグナリングを表すメッセージシーケンス図を示す。
【００７１】
動作は、短縮ダイヤルコード、および、特定のネットワーク部において使用される短縮ダイヤルコードに関係する別の関連情報を取り出すために、最初にアプリケーションサーバ３６において実行される。一旦取り出されると、ダイヤルコードの値は、関連情報と共に、セグメント１１４によって示されるように、セルブロードキャストセンター３８へアップロードされる。コードの値、および、別の情報のアップロードは、セルブロードキャストセンターで検出され、ブロードキャストスケジュールがアップロードされた情報をブロードキャストするため作成される。情報のブロードキャストを実施するため、検出されたコード、および、別の情報は、セグメント１１５によって示されるように、ワイヤレスネットワーク要素２６、２８および３２へ提供される。また、それらからの情報のブロードキャストは、セグメント１１６および１１８によって示されるように、セルブロードキャストチャネルで実行される。また、モバイルノードの登録に従うシグナリングはセグメント１２２によって表されている。短縮ダイヤルコードの値、および、セルブロードキャストチャネルでブロードキャストされた信号に含まれるその他の情報は、モバイルノードによって検出され、モバイルノードに記憶された値と共にインデックスを付けられ、その後の使用のためモバイルノードに格納される。
【００７２】
図４は、全体が１２６で示され、本発明の一実施形態の動作の方法を表す方法フロー図を示す。この方法により、モバイルノードのユーザによるサービスセンターへのコールの設定が容易になる。
【００７３】
最初に、ブロック１２８によって示されるように、１台以上のセルセンターのうちの少なくとも選択されたコールセンターを特定する少なくとも第１のネットワーク部識別コードの値が移動通信システムのネットワーク部に保持される。次に、ブロック１３２によって示されるように、値のうちの少なくとも選択されたブロードキャストは、そのネットワーク部によって網羅された地域の少なくとも一部分のため予定を立てられる。また、ブロック１３４によって示されるように、予定を立てられたブロードキャストが実施される。
【００７４】
モバイルノードは、ブロック１３６によって示されるように、ネットワーク部識別コードの値のブロードキャストを検出する。また、ブロック１３８によって示されるように、検出された値は対応するモバイルノード識別コードの値と共にインデックスを付けられる。その後に、ブロック１４２によって示されたモバイルノード識別コードが入力されるとき、ブロック１４４に示されるように、入力されたコードは、対応するネットワーク部識別コードで置き換えられ、コールはそのネットワーク部識別コードによって特定されたサービスセンターへ設定される。
【００７５】
この結果、コールがモバイルノードによってサービスセンターへ設定されるとき、ネットワーク部識別コードが使用され、それによって、そのコールが指定されたサービスセンターに対して完了させることが可能である。
【００７６】
上記の説明は本発明をインプリメントする好適な実施例からなり、本発明の範囲は必ずしもこの説明によって限定されるべきではない。本発明の範囲は特許請求の範囲によって定められる。
【図面の簡単な説明】
【００７７】
【図１】本発明の一実施形態が動作する通信システムの機能ブロック図である。
【図２】本発明の一実施形態によってモバイルノードに格納されたインデックス付き情報の値の機能的な表現の説明図である。
【図３】本発明の一実施形態による図１に示された通信システムの動作中に生成される例示的なシグナリングを表すメッセージシーケンス図である。
【図４】本発明の一実施形態の動作方法を表す方法フロー図である。
【図１】
2006514458.tif 000003
【図２】
2006514458.tif 000004
【図３】
2006514458.tif 000005
【図４】
2006514458.tif 000006
【国際調査報告】
2006514458.tif 000007
2006514458.tif 000008
2006514458.tif 000009